(57)【要約】【課題】  人体脛部や足先等を効果的に施療する事が可能であると共に、足裏に対する指圧効果をもたらす事のできる足マッサージ機を提供する事を目的とする。【解決手段】  足マッサージ機１ａは、人体脛部を挿入し施療する左右一対の施療凹部２１ａを備えた脛部施療体２ａを設けると共に、脛部施療体２ａの下端に人体足先部を挿入し施療する左右一対の施療孔部３１ａを備えた足先部施療体３ａを設けて構成している。該各施療孔部３１ａ内部の底部３１１ａには、足裏爪先部膨縮袋３４ａと足裏土不踏部膨縮袋３５ａ及び足裏踵部膨縮袋３６ａとを、また各施療孔部３１ａ内部の上部には甲部膨縮袋３７ａを配設している。足裏爪先部膨縮袋３４ａと足裏土不踏部膨縮袋３５ａ及び足裏踵部膨縮袋３６ａの各表面には、複数の施療突起３９ａを夫々備えている。【選択図】    図３
2006130103.tif 000002
【特許請求の範囲】
【請求項１】
人体脛部を挿入し施療する左右一対の施療凹部を備えた脛部施療体を設け、さらに脛部施療体の下端に人体足先部を挿入し施療する左右一対の施療孔部を備えた足先部施療体を設けたものであって、足先部施療体の各施療孔部内部の人体足裏が当接する底部に複数から成り制御部によって制御する空気給排装置から給排気される空気により膨縮する膨縮袋を配設すると共に、それら複数の足裏膨縮袋のうち少なくともいずれかに指圧突起を表側に備え、更に各施療孔部内部の人体足先甲部が最近接する上部に、該空気給排装置から給排気される空気により膨縮する甲部膨縮袋を少なくとも一つ以上配設する事を特徴とする足マッサージ機。
【請求項２】
前記各施療孔部内部の前記底部に配設した前記複数の足裏膨縮袋は、人体足裏の爪先部を押圧する足裏爪先部膨縮袋と、人体足裏の土不踏部を押圧する足裏土不踏部膨縮袋と、人体足裏の踵部を押圧する足裏踵部膨縮袋とから構成する事を特徴とする請求項１記載の足マッサージ機。
【請求項３】
前記各施療孔部内部の左右に立設する側壁部に、人体足先の側部を押圧する左右一対の側部膨縮袋を設けて構成する事を特徴とする請求項１及び請求項２記載の足マッサージ機。
【請求項４】
前記側部膨縮袋が、人体足先の側部における中間部から前半部にかけて押圧する足先側部膨縮袋と、人体足先の側部における中間部から後半部の足頸にかけて押圧する足頸側部膨縮袋とにより構成する事を特徴とする請求項３記載の足マッサージ機。
【請求項５】
前記足裏爪先部膨縮袋及び前記足裏踵部膨縮袋が膨張状態の時に前記足裏土不踏部膨縮袋は収縮状態であり、足裏土不踏部膨縮袋が膨張状態の時に足裏爪先部膨縮袋及び足裏踵部膨縮袋は収縮状態であるよう膨縮するように、前記制御部によって前記空気給排装置を制御する事を特徴とする請求項１乃至請求項４記載の足マッサージ機。
【請求項６】
前記甲部膨縮袋が膨縮または膨張保持した状態で、前記足裏爪先部膨縮袋及び前記足裏踵部膨縮袋が膨張状態の時に前記足裏土不踏部膨縮袋は収縮状態であり、足裏土不踏部膨縮袋が膨張状態の時に足裏爪先部膨縮袋及び足裏踵部膨縮袋は収縮状態であるように膨縮するよう前記制御部によって前記空気給排装置を制御する事を特徴とする請求項１乃至請求項４記載の足マッサージ機。
【請求項７】
前記足先部施療体の前記左右一対の各施療孔部間に前記空気給排装置を設けた事を特徴とする請求項１乃至請求項６記載の足マッサージ機。
【発明の詳細な説明】
【技術分野】
【０００１】
本発明は、人体脛部や足先等を効果的に押圧または指圧施療する事が可能な足マッサージ機に関するものである。
【背景技術】
【０００２】
従来、人体足先を施療する事のできる足マッサージ機として、例えば図１０に示すようなものが知られている。該足マッサージ機は、本体５の内部において足先の形状に沿うように形成された施療孔部を形成しており、施療孔部内部において足先甲部が当接する部分と、足裏全体が当接する部分とに膨縮動作する膨縮袋２が夫々設けられているので、施療孔部に挿入させた足先を膨縮袋２により上下方向の押圧施療を実施する事ができるものである。
【特許文献１】特開２００１−８７３３１号公報（第７頁、図５）
【発明の開示】
【発明が解決しようとする課題】
【０００３】
ところで、上記のような従来の足マッサージ機は、人体足先の甲部を施療するのと同じような形態の膨縮袋を足裏に対しても採用しているため、施療感が単調となったり、また、特に「つぼ」が集中する足裏に対して指圧施療効果を期待する事はできない。
【０００４】
更に、施療範囲においては足先部に限られる為、足先と同時に足先より上部の脛部に対する施療をも所望する使用者にとっては、物足りなさを感じるものでもあった。
【０００５】
そこで、本発明は、上記問題点を解消する為に成されたものであり、人体足先や脛部全体を効果的に施療する事が可能であると共に、足裏に対する指圧効果をもたらす事のできる足マッサージ機を提供する事を目的とするものである。
【課題を解決するための手段】
【０００６】
すなわち、本発明の足マッサージ機は、人体脛部を挿入し施療する左右一対の施療凹部を備えた脛部施療体を設けると共に、脛部施療体の下端に人体足先部を挿入し施療する左右一対の施療孔部を備えた足先部施療体を設けたものである。また、足先部施療体の各施療孔部内部の人体足裏が当接する底部には、制御部によって制御する空気給排装置から給排気される空気により膨縮する複数の足裏膨縮袋を配設している。そして、それら複数の足裏膨縮袋のうち少なくともいずれかに指圧突起を表側に備えたものである。また、各施療孔部内部の人体足先甲部が最近接する上部において、空気給排装置から給排気される空気により膨縮する甲部膨縮袋を少なくとも一つ以上配設して構成している。
【０００７】
また、本発明の足マッサージ機は、前記各施療孔部内部の前記底部に配設した前記複数の足裏膨縮袋は、人体足裏の爪先部を押圧する足裏爪先部膨縮袋と、人体足裏の土不踏部を押圧する足裏土不踏部膨縮袋と、人体足裏の踵部を押圧する足裏踵部膨縮袋とから構成している。
【０００８】
また、本発明の足マッサージ機は、前記各施療孔部内部の左右に立設する側壁部に、人体足先の側部を押圧する左右一対の側部膨縮袋を設けて構成している。
【０００９】
また、本発明の足マッサージ機は、前記側部膨縮袋が人体足先の側部における中間部から前半部にかけて押圧する足先側部膨縮袋と、人体足先の側部における中間部から後半部の足頸にかけて押圧する足頸側部膨縮袋とにより構成している。
【００１０】
また、本発明の足マッサージ機は、前記足裏爪先部膨縮袋及び前記足裏踵部膨縮袋が膨張状態の時に前記足裏土不踏部膨縮袋は収縮状態であって、足裏土不踏部膨縮袋が膨張状態の時に足裏爪先部膨縮袋及び足裏踵部膨縮袋は収縮状態であるよう膨縮するように、前記制御部によって前記空気給排装置を制御するよう構成している。
【００１１】
更に、本発明の足マッサージ機は、前記甲部膨縮袋が膨縮または膨張保持した状態で、前記足裏爪先部膨縮袋及び前記足裏踵部膨縮袋が膨張状態の時に前記足裏土不踏部膨縮袋は収縮状態であって、足裏土不踏部膨縮袋が膨張状態の時に足裏爪先部膨縮袋及び足裏踵部膨縮袋は収縮状態であるように膨縮するよう前記制御部によって前記空気給排装置を制御するよう構成している。
【００１２】
更にまた、本発明の足マッサージ機は、前記足先部施療体の前記左右一対の各施療孔部間に前記空気給排装置を設けるよう構成している。
【発明の効果】
【００１３】
よって、本発明の請求項１に記載した足マッサージ機は、脛部施療体と足先部施療体とを有する構成である為、人体足先のみならず脛部に対しても施療する事が可能であり、また足先部施療体の各施療孔部内部の人体足裏が当接する底部において、複数の足裏膨縮袋を配設すると共に、それら複数の足裏膨縮袋に指圧突起を表側に設けた構成である為、人体の「つぼ」が集中している足裏に対して該「つぼ」の位置に応じた指圧効果をもたらす事ができるし、また各施療孔部内部の人体足先甲部が最近接する上部に甲部膨縮袋を有する構成である為、人体足先の甲部に対しても押圧施療を行ったり、足裏膨縮袋と併用する場合には、上下方向の挟圧施療を実施する事ができる。
【００１４】
また、本発明の請求項２に記載した足マッサージ機は、前記複数の足裏膨縮袋として、足裏爪先部膨縮袋と、足裏土不踏部膨縮袋と、足裏踵部膨縮袋とから構成するようにしている為、使用者の所望に応じて爪先や土不踏及び踵部を夫々単独で施療する事が可能であり、更には、前記甲部膨縮袋と足裏爪先部膨縮袋とにより爪先での上下方向における挟圧施療を行ったり、または前記脛部施療体と足裏踵部膨縮袋とを併用して、例えば脛部施療体で脛部を固定させた状態で、足裏踵部膨縮袋により効果的に足裏踵部を押圧する事ができる。
【００１５】
また、本発明の請求項３に記載した足マッサージ機は、前記各施療孔部内部に左右一対の側部膨縮袋を設けるよう構成している為、人体足先の側部に対する挟圧施療を実施する事ができる。
【００１６】
また、本発明の請求項４に記載した足マッサージ機は、前記側部膨縮袋が足先側部膨縮袋と、足頸側部膨縮袋とにより構成している為、人体足先の側部形状に応じた押圧或いは挟圧施療を実施する事ができる。
【００１７】
また、本発明の請求項５に記載した足マッサージ機は、前記足裏爪先部膨縮袋及び前記足裏踵部膨縮袋が膨張状態の時に前記足裏土不踏部膨縮袋は収縮状態であり、足裏土不踏部膨縮袋が膨張状態の時に足裏爪先部膨縮袋及び足裏踵部膨縮袋は収縮状態であるよう膨縮するよう構成している為、人体足裏に対するメリハリのある施療が可能となる他、足裏に対するストレッチ作用をもたらす事ができる。
【００１８】
更に、本発明の請求項６に記載した足マッサージ機は、請求項５に記載した施療動作を行いながら、前記甲部膨縮袋を膨縮または膨張保持するよう構成するものである為、請求項５に記載した施療動作における効果を増大させる事ができる。
【００１９】
更にまた、本発明の請求項７に記載した足マッサージ機は、前記足先部施療体の前記左右一対の各施療孔部間に前記空気給排装置を設けて構成している為、従来は別体であった空気給排装置が内蔵されて全体がコンパクトになるので、持ち運びにおいても便利であり、また重心が下部に位置する構造とする事ができて、設置する際に安定し易くなる。
【発明を実施するための最良の形態】
【００２０】
以下に、本発明の足マッサージ機を、図面に示す一実施形態に基づきこれを詳細に説明する。
【００２１】
図１及び図２は本発明の足マッサージ機の一実施形態を示す斜視図であり、図３及び図４は本発明の足マッサージ機における脛部施療体及び足先部施療体の一実施形態を示す平面説明図であり、図５乃至図６は本発明の足マッサージ機における脛部施療体及び足先部施療体の一実施形態を示す側面説明図であり、図７は本発明の足マッサージ機における脛部施療体に対する足先部施療体の回動の一実施形態を示す側面説明図であり、図８及び図９は本発明の足マッサージ機の一実施形態を示す使用状態図であり、図１０は従来技術図面である。
【００２２】
すなわち、本発明の足マッサージ機１ａは、図１の実施形態で示したように、人体脛部を挿入して施療する左右一対の施療凹部２１ａを備えた脛部施療体２ａを設け、さらに該脛部施療体２ａの下端に人体足先部を挿入して施療する左右一対の施療孔部３１ａを備えた足先部施療体３ａを設けたものであり、更に脛部施療体２ａの下端と該足先部施療体３ａの後端とを回動連結部２４ａにより前後方向に回動自在になるよう連結している。
【００２３】
前記脛部施療体２ａは、図１及び図３に示すように左右一対の前記施療凹部２１ａの夫々上部に、左右一対の上脛部膨縮袋２２ａを、更に施療凹部２１ａの夫々下部には、左右一対の下脛部膨縮袋２３ａを埋設している。
【００２４】
前記上脛部膨縮袋２２ａと下脛部膨縮袋２３ａとは、夫々エアホース（図示せず）を介して空気給排装置４ａによる圧縮空気の給排気によって膨縮及び膨張保持するよう構成している。
【００２５】
前記空気給排装置４ａは内蔵型のものであり、前記足先部施療体３ａの左右一対の各前記施療孔部３１ａ間に存する空間３８ａ中央後方寄りに配設しているので、足マッサージ機１ａ全体の重心が下部に位置する構造にする事が可能である。
【００２６】
また、前記空気給排装置４ａによる給排気は、空間３８ａ中央前方寄りに配設する制御部５ａにより制御するようにしており、該制御部５ａは脛部施療体２ａの片側側面において脱着自在に設けた操作部５１ａから入力される指示を受けて制御する。
【００２７】
また、前記各上脛部膨縮袋２２ａ・２２ａと前記各下脛部膨縮袋２３ａ・２３ａは、夫々各施療凹部２１ａ内部において左右相対状に配されると共に同時期に膨縮及び膨張保持するよう構成しており、図４に示すように人体脛部を施療凹部２１ａ内で左右両側から脛部に向けて挟圧型の膨縮施療を実施する事ができる。
【００２８】
更に、上脛部膨縮袋２２ａと下脛部膨縮袋２３ａとを夫々順次膨縮及び膨張保持するよう前記制御部５ａで前記空気給排装置４ａを制御させるようにする事で、人体脛部付近の血流等を促進させる事ができる。
【００２９】
前記足先部施療体３ａには、図１及び図３に示すように、左右一対の前記各施療孔部３１ａ・３１ａが設けられており、各施療孔部３１ａ・３１ａ内部の左右一対の両側壁部となる側壁部３１２ａ・３１２ａに、人体足先中間部を両側から膨縮及び膨張保持して挟圧施療する事ができるよう左右一対の足先側部膨縮袋３３ａ・３３ａと、人体足頸部付近を両側から膨縮及び膨張保持して挟圧施療する事ができる左右一対の足頸側部膨縮袋３２ａ・３２ａとを夫々設けている。
【００３０】
また、前記各施療孔部３１ａ・３１ａ内部における人体足裏が接触する底部３１１ａには、前記制御部５ａによって制御する空気給排装置から給排気される空気により膨縮する複数から成る膨縮袋を夫々配設しているのだが、該複数の膨縮袋として、人体爪先裏に位置し膨縮及び膨張保持して押圧施療可能な足裏爪先部膨縮袋３４ａと、人体土不踏に位置し膨縮及び膨張保持して押圧施療可能な足裏土不踏部膨縮袋３５ａと、人体踵裏に位置し膨縮及び膨張保持して押圧施療可能な足裏踵部膨縮袋３６ａとを夫々配設している。
【００３１】
更に、前記各施療孔部３１ａ・３１ａの人体甲部上方に位置する被覆部３１３ａには、人体甲部を膨縮及び膨張保持して押圧施療可能な甲部膨縮袋３７ａが設けられている。
【００３２】
前記足裏爪先部膨縮袋３４ａや足裏土不踏部膨縮袋３５ａ及び足裏踵部膨縮袋３６ａの夫々表面には、適所に人体足裏に対する指圧作用をもたらす施療突起３９ａが設けられている。
【００３３】
尚、前記施療突起３９ａの配置や数量は、施療効果に応じて適宜設定する事ができるものであり、また、図示していないが、足裏爪先部膨縮袋３４ａや足裏踵部膨縮袋３６ａよりも足裏土不踏部膨縮袋３５ａに設けた施療突起３９ａの硬さや高さを使用目的に応じて増減させるようにする事で、人体足裏に対するより効果的な指圧を実施する事ができる。
【００３４】
これら前記足頸側部膨縮袋３２ａや前記足先側部膨縮袋３３ａ、及び前記足裏爪先部膨縮袋３４ａや前記足裏土不踏部膨縮袋３５ａ、更に前記足裏踵部膨縮袋３６ａや甲部膨縮袋３７ａは、夫々前記空気給排装置４ａと該空気給排装置４ａを制御するための前述した制御部５ａよって人体足先部を効果的に施療するよう制御されている。
【００３５】
例えば、図５及び図６に示すように、甲部膨縮袋３７ａを膨張保持した状態で、足裏爪先部膨縮袋３４ａと足裏踵部膨縮袋３６ａとを同時期に膨縮させると共に、該足裏爪先部膨縮袋３４ａと足裏踵部膨縮袋３６ａとの膨縮動作に対して足裏土不踏部膨縮袋３５ａが逆の膨縮動作となるように制御部５ａで空気給排装置４ａを制御作動するようにした場合には、人体足先に対して上下方向に揉み解す施療を実施する事が可能であり、更には足裏に対してストレッチ作用をもたらす事ができる。尚、この場合、甲部膨縮袋３７ａを非膨張としたり、或いは反復膨縮させたりしてもよい。
【００３６】
また、前記足頸側部膨縮袋３２ａと前記足先側部膨縮袋３３ａとを同時期に膨縮させると共に、前記足裏爪先部膨縮袋３４ａと前記足裏土不踏部膨縮袋３５ａ及び前記足裏踵部膨縮袋３６ａと前記甲部膨縮袋３７ａとを同時期に膨縮させるよう制御部５ａで制御させると共に、一方の前記足頸側部膨縮袋３２ａ及び前記足先側部膨縮袋３３ａと、他方の足裏爪先部膨縮袋３４ａや足裏土不踏部膨縮袋３５ａ及び足裏踵部膨縮袋３６ａや甲部膨縮袋３７ａとを、各々交互に膨縮動作するよう制御部５ａで制御するようにした場合には、人体足先に対して上下及び左右方向において交互に揉み解す施療を実施する事ができるものとなる。
【００３７】
前記脛部施療体２ａと前記足先部施療体３ａとは、図７に示すように、両者間を回動連結部２４ａで枢止して起倒可能にしており、脛部施療体２ａに対する足先部施療体３ａの傾倒角度を使用者が所望する角度になるよう手動又は自動で無段階に調節できるようにしている。
【００３８】
尚、図示していないが、該傾倒角度調節は、手動又は自動による無段階調節に限らず段階的に調節固定できるようにしてもよい。
【００３９】
このように構成した本発明の足マッサージ機１ａは、例えば図８に示すように、椅子Ｃに着座した使用者の足下床面に設置して、足先及び脛部を施療凹部２１ａと施療孔部３１ａとに夫々挿入して施療を受ける事ができるし、また図９に示すように脛部施療体２ａの背部が当接するように設置面に設置して、使用者が仰臥姿勢で施療を受ける事ができる。
【００４０】
上記本発明の足マッサージ機１ａにおける施療機構は、膨縮袋を利用した場合を例示したが、該施療機構を膨縮袋に変えて他の機構を採用しても良く、例えば、揉み機構や叩き機構の他、指圧機構やローリング機構及び振動機構等を採用して、揉み施療や叩き施療の他、指圧施療やローリング施療及び振動施療等を行なわせるようにしても良い。
【図面の簡単な説明】
【００４１】
【図１】本発明の足マッサージ機の一実施形態を示す斜視図である。
【図２】本発明の足マッサージ機の一実施形態を示す斜視図である。
【図３】本発明の足マッサージ機における脛部施療体及び足先部施療体の一実施形態を  示す平面説明図である。
【図４】本発明の足マッサージ機における脛部施療体及び足先部施療体の一実施形態を  示す平面説明図である。
【図５】本発明の足マッサージ機における脛部施療体及び足先部施療体の一実施形態を  示す側面説明図である。
【図６】本発明の足マッサージ機における脛部施療体及び足先部施療体の一実施形態を  示す側面説明図である。
【図７】本発明の足マッサージ機における脛部施療体に対する足先部施療体の回動の一  実施形態を示す側面説明図である。
【図８】本発明の足マッサージ機の一実施形態を示す使用状態図である。
【図９】本発明の足マッサージ機の一実施形態を示す使用状態図である。
【図１０】従来技術図面である。
【符号の説明】
【００４２】
１ａ  足マッサージ機
２ａ  脛部施療体
２１ａ  施療凹部
２２ａ  上脛部膨縮袋
２３ａ  下脛部膨縮袋
２４ａ  回動連結部
３ａ  足先部施療体
３１ａ  施療孔部
３１１ａ  底部
３１２ａ  側壁部
３１３ａ  被覆部
３２ａ  足頸側部膨縮袋
３３ａ  足先側部膨縮袋
３４ａ  足裏爪先部膨縮袋
３５ａ  足裏土不踏部膨縮袋
３６ａ  足裏踵部膨縮袋
３９ａ  施療突起
３７ａ  甲部膨縮袋
３８ａ  空間
４ａ  空気給排装置
５ａ  制御部
５１ａ  操作部
Ｃ  椅子
【図１】
2006130103.tif 000003
【図２】
2006130103.tif 000004
【図３】
2006130103.tif 000005
【図４】
2006130103.tif 000006
【図５】
2006130103.tif 000007
【図６】
2006130103.tif 000008
【図７】
2006130103.tif 000009
【図８】
2006130103.tif 000010
【図９】
2006130103.tif 000011
【図１０】
2006130103.tif 000012